(57)【要約】【課題】  果実を傷つけることなく、容易に且つ迅速に果実を収穫することができる果実収穫装置の提供。【解決手段】  筒状の操作竿部１と、操作竿部１の上端部にスライド可能に支持され、前面部に操作竿部１内と連通した果実収容口２を有するとともに、上面部に前記果実収容口２と連続し、果実１４と樹木とを連結する花軸が挿入される花軸挿入部１３を有する箱状の果実取込部材３と、果実取込部材３の上面に軸支された回動式刃４と、操作竿部１と果実取込部材３とを互いにスライド動作させることに連動して回動式刃４を花軸挿入部に挿入された花軸を切断する位置まで回動させる回動手段とを備え、回動式刃４を回動させて果実の花軸を切断し、花軸の切断された果実が操作竿部１内を落下して操作竿部１の下端開口部より取り出せるようにした。【選択図】  図１
0003107813.tif 000002
【実用新案登録請求の範囲】
【請求項１】
円筒状の操作竿部と、
該操作竿部の上端部にスライド可能に支持され、前面部に前記操作竿部内と連通した果実収容口を有するとともに、上面部に前記果実収容口と連続し、果実と木とを連結する花軸が挿入される花軸挿入部を有する箱状の果実取込部材と、
該果実取込部材の上面に軸支された回動式刃と、
前記操作竿部と果実取込部材とを互いにスライド動作させることに連動して前記回動式刃を前記花軸挿入部に挿入された花軸を切断する位置まで回動させる回動手段とを備え、
前記回動式刃を回動させて果実の花軸を切断し、該花軸の切断された果実が前記操作竿部内を落下して前記操作竿部の下端開口部より取り出せるようにしたことを特徴としてなる果実収穫装置。
【請求項２】
操作竿部は、その内周面に螺旋配置にブラシ材を突出させた請求項１に記載の果実収穫装置。
【請求項３】
回動手段は、操作竿部の上部外周面より突出し、果実取込部材に形成された縦向きのスライド孔にスライド自在に挿入されたスライドピンを備え、該スライドピンに一方の端部を固定した操作ワイヤの他方の端部をガイド用滑車を通して回転式刃に固定し、前記スライドピンを前記果実取込部材に対して下向きにスライドさせることにより、前記操作ワイヤが引張られて前記回転式刃を回動させるようにした請求項１又は２に記載の果実収穫装置。
【請求項４】
操作ワイヤは、操作竿部の手元部分まで延長された請求項３に記載の果実収穫装置。
【請求項５】
操作竿部は、下端部に円筒状の延長部材を連結可能である請求項１〜３又は４に記載の果実収穫装置。
【考案の詳細な説明】
【技術分野】
【０００１】
本考案は、主にりんごや柿等の花軸を介して木になる果実を収穫するための果実収穫装置に関する。
【背景技術】
【０００２】
従来、木の高い位置に花軸を介してなる果実を収穫するには、一定の長さを有する竿部の手元側（基端側）に取り付けられた操作用ハンドルを操作することにより先端部に取り付けられた鋏を開閉させることができる高枝用切鋏（例えば、特許文献１を参照）が用いられている。
【０００３】
この高枝用切鋏は、鋏の刃に沿って挟持部材を備え、鋏を閉じて果実の花軸を切断すると同時にその切断端部を前記挟持部材により挟み持ちできるようになっており、そのように果実の花軸を挟持部材に挟持させた状態で鋏を手元に引き戻し、収穫するようになっている。
【特許文献１】特開２００４−２４２５２７号公報
【考案の開示】
【考案が解決しようとする課題】
【０００４】
しかし、上述の如き従来の技術では、一々鋏を手元まで引き寄せて挟持部材に挟持された果物を取り外さなければならず、作業が煩わしく、作業効率も悪いという問題があった。
【０００５】
また、このような高枝用切鋏は、花軸の切断端部を挟持して果実を保持する構造の為、非常に不安定で収穫した果実を取り落として傷つけてしまうという問題もあった。
【０００６】
そこで本考案は、上述の従来技術の問題を鑑み、果実を傷つけることなく、容易に且つ迅速に果実を収穫することができる果実収穫装置の提供を目的とする。
【課題を解決するための手段】
【０００７】
上述の如き従来の問題を解決し、所期の目的を達成するための請求項１に記載の考案は、筒状の操作竿部と、該操作竿部の上端部にスライド可能に支持され、前面部に前記操作竿部内と連通した果実収容口を有するとともに、上面部に前記果実収容口と連続し、果実と樹木とを連結する花軸が挿入される花軸挿入部を有する箱状の果実取込部材と、該果実取込部材の上面に軸支された回動式刃と、前記操作竿部と果実取込部材とを互いにスライド動作させることに連動して前記回動式刃を前記花軸挿入部に挿入された花軸を切断する位置まで回動させる回動手段とを備え、前記回動式刃を回動させて果実の花軸を切断し、該花軸の切断された果実が前記操作竿部内を落下して前記操作竿部の下端開口部より取り出せるようにした果実収穫装置であることを特徴とする。
【０００８】
請求項２に記載の考案は、請求項１の構成に加え、操作竿部は、その内周面に螺旋配置にブラシ材を突出させたことを特徴とする。
【０００９】
請求項３に記載の考案は、請求項１又は２の構成に加え、回動手段は、操作竿部の上部外周面より突出し、果実取込部材に形成された縦向きのスライド孔にスライド自在に挿入されたスライドピンを備え、該スライドピンに一方の端部を固定した操作ワイヤの他方の端部をガイド用滑車を通して回転式刃に固定し、前記スライドピンを前記果実取込部材に対して下向きにスライドさせることにより、前記操作ワイヤが引張られて前記回転式刃を回動させるようにしたことを特徴とする。
【００１０】
請求項４に記載の考案は、請求項３の構成に加え、操作ワイヤは、操作竿部の手元部分まで延長されたことを特徴とする。
【００１１】
請求項５に記載の考案は、請求項１〜３又は４の構成に加え、操作竿部は、下端部に円筒状の延長部材を連結可能であることを特徴とする。
【考案の効果】
【００１２】
本考案に係る果実収穫装置は、円筒状の操作竿部と、該操作竿部の上端部にスライド可能に支持され、前面部に前記操作竿部内と連通した果実収容口を有するとともに、上面部に前記果実収容口と連続し、果実と樹木とを連結する花軸が挿入される花軸挿入部を有する箱状の果実取込部材と、該果実取込部材の上面に軸支された回動式刃と、前記操作竿部と果実取込部材とを互いにスライド動作させることに連動して前記回動式刃を前記花軸挿入部に挿入された花軸を切断する位置まで回動させる回動手段とを備え、前記回動式刃を回動させて果実の花軸を切断し、該花軸を切断された果実が前記操作竿部内を落下して前記操作竿部の下端開口部より取り出せるようにしたことによって、高い位置にある果実を手元の操作のみで容易に収穫することができ、作業効率がよい。
【００１３】
操作竿部は、その内周面に螺旋配置にブラシ材を突出させたことによって、果実が操作竿部内を回転しながら落下し、ブラシ材が緩衝材となって果実の落下速度を低下させ、安全に手元開口部まで落下させることができるとともに、ブラシによって果実が磨かれて艶出しされ、品質が向上する。
【００１４】
回動手段は、操作竿部の上部外周面より突出し、果実取込部材に形成された縦向きのスライド孔にスライド自在に挿入されたスライドピンを備え、該スライドピンに一方の端部を固定した操作ワイヤの他方の端部をガイド用滑車を通して回転式刃に固定し、前記スライドピンを前記果実取込部材に対して下向きにスライドさせることにより、前記操作ワイヤが引張られて前記回転式刃を回動させるようにしたことによって、好適に回動式刃を花軸の切断位置まで回動させることができる。
【００１５】
操作ワイヤは、操作竿部の手元部分まで延長されたことによって、手元部で手動により回動手段を操作することができる。
【００１６】
操作竿部は、下端部に円筒状の延長部材を連結可能であることによって、樹木に合わせて長さ調整することができる。
【考案を実施するための最良の形態】
【００１７】
次に、本考案に係る果実収穫装置に関し図１〜図３について説明する。
【００１８】
この果実収穫装置は、円筒状の操作竿部１と、操作竿部１の上端部にスライド可能に支持され、前面部に果実収容口２を有する箱状の果実取込部材３と、果実取込部材３の上面に軸支された回動式刃４と、回動式刃４を回動させるための回動手段とを備えている。
【００１９】
操作竿部１は、一定長さ（約３メートル）を有する両端が開口した円筒状に合成樹脂材をもって形成され、その上端部には、前半部を切り欠いたように半割開口部１ａが形成されている。
【００２０】
この操作竿部１には、内周面より螺旋配置に連続した繊維毛等からなるブラシ材５が突設されている。
【００２１】
また、この操作竿部１は、下端部に円筒状の延長部材を連結でき、それにより収穫を行う樹木の高さに合わせて長さを調整することができるようになっている。
【００２２】
果実取込部材３は、前面板６、背面板７、左右両側板８，９及び天板１０をもって、下面が開口した中空箱状に形成され、果実収容口２を操作竿部１の半割開口部１ａの位置に合わせ、果実収容口２が操作竿部１内と連通するように上端部外側に被せられている。
【００２３】
背面板７及び左右両側板８，９には、縦向きスリット状のスライド孔１１が形成され、このスライド孔１１を通して操作竿部１の外周面より突出したスライドピン１２が果実取込部材３の外周面より突出し、果実取込部材３が操作竿部１に対しスライド可能に支持されるようになっている。
【００２４】
また、果実収容口２は、果実取込部材３の前面部、即ち前面板６から左右両側板８，９及び天板１０にかけて開口され、果実取込部材３の上面部、即ち天板１０には、果実収容口２から連続した花軸挿入部１３が形成されている。
【００２５】
この果実収容口２の天板１０にかかる部分は、背側が狭いテーパ状に形成され、互いに近接した内側縁２ａ，２ａと連続して花軸挿入部１３が形成されており、果実収容口２より取り込まれた果実１４の花軸１４ａがそのテーパ状内側縁２ａ，２ａにガイドされて花軸挿入部１３に挿入されるようになっている。
【００２６】
回動式刃４は、果実取込部材３上面部の花軸挿入部１３背側に回転軸４ａにより軸支され、鉤状に形成された刃部１５と、回動手段により操作される被操作部１６とが一体に形成されている。
【００２７】
刃部１５は、鉤状に形成されていることによって、果実の花軸１４ａを切断する際、刃が花軸１４ａの前面側より入り、動作中に花軸１４ａが花軸挿入部１３より外れるのを防止するようになっている。
【００２８】
また、刃部１５の刃とは反対側の縁部には、一方の端部を果実取込部材３の上面に固定したバネ材１７の他方の端部が固定されており、回動式刃４は、花軸挿入部１３より外れた位置に付勢されている。
【００２９】
被操作部１６は、外周に滑車溝１６ａを有する円弧状に形成されるとともに、外周に回動手段を構成する操作ワイヤ１８の端部を固定する固定用突起１９を一体に備えている。
【００３０】
回動手段は、背面板７に取り付けられたガイド滑車２０，２１と、操作ワイヤ１８とを備え、操作ワイヤ１８の一方の端部を滑車溝１６ａに沿って回動式刃４の固定用突起１９に固定し、他方の端部を、ガイド滑車２０，２１を介して、スライドピン１２に固定することによって、操作竿部１と果実取込部材３とを互いにスライドさせると、即ち、スライドピン１２を果実取込部材３に対して下向きにスライドさせると、操作ワイヤ１８が引っ張られて回動式刃４の軸４ａを介して刃部１５とは反対側の端部、即ち被操作部１６の固定用突起１９を背側に引張り、刃部１５を花軸挿入部１３に挿入された花軸１４ａを切断する位置まで回動させるようになっている。
【００３１】
尚、上述の操作ワイヤ１８に加え、他方の端部をスライドピン１２に固定せず操作竿部１の手元部まで延長した手元操作用ワイヤ２２を備えるようにしてもよい。
【００３２】
次に、この果実収穫装置を用いた果実の収穫方法について説明する。
【００３３】
まず、操作竿部１の手元側（下端）開口部を一方の手で閉鎖するとともに、他方の手で操作竿部１の下端部より稍上側を支えて持つ。
【００３４】
そして、操作竿部１を支えた状態で装置の上端部、即ち果実取込部材３を収穫しようとする果実１４に近づけ、果実収容口２より果実取込部材３内に果実１４を取り込む。
【００３５】
このとき、木の枝と果実１４本体とを連結する花軸１４ａが果実収容口２の天板部内側縁にガイドされて花軸挿入部１３に挿入される。
【００３６】
次に、果実１４を果実取込部材３内に取り込んだ状態で、操作竿部１を下向きに引き下げると、果実１４によって果実取込部材３の天板１０が支持されているので、操作竿部１と果実取込部材３とが互いにスライドする。
【００３７】
これにより、スライドピン１２が果実取込部材３に対して下向きにスライドし、操作ワイヤ１８を引っ張ることによって、回動式刃４がバネ材１７に抗して回動し、木の枝と果実１４本体とを連結する花軸１４ａを切断する。
【００３８】
花軸１４ａが切断されると、バネ材１７によって回動式刃４が元の状態に戻るとともに、果実取込部材３が自重によって操作竿部１に対して元の位置復帰する。
【００３９】
そして、花軸１４ａを切断された果実１４は、操作竿部１内を落下し、その落下してきた果実１４を手で受けて操作竿部１の下端開口部より取り出し、それを収穫用容器に移す。
【００４０】
尚、果実１４が操作竿部１内を落下する際、操作竿部１内に螺旋状配置されたブラシ材５を備えたことによって、果実１４が回転しながら落下し、またブラシ材５が緩衝材となって果実１４の落下速度が低減されて果実１４を傷つけることなく収穫することができ、更に、ブラシにより磨かれて果実１４は艶出しされるようになっている。
【００４１】
以上で作業が終了する。
【００４２】
尚、この果実収穫装置は、逆さに使用することによって、足元よりも低い位置にある果実の収穫にも用いることができる。
【００４３】
また、上述の実施例では、回動手段にガイド滑車２０，２１と操作ワイヤ１８とを用いた例について説明したが、回動手段はその他、操作竿部１と果実取込部材３との相対移動に連動して回動式刃４を回動させる機構であれば、歯車（ギア）を用いたもの等様々な態様をとることができる。
【００４４】
回動式刃４は、上述の例に示した形状に拘泥されず、回動手段に合わせて色々な形状をとることができる。
【図面の簡単な説明】
【００４５】
【図１】本考案に係る果実収穫装置の一例を示す右背側より見た斜視図である。
【図２】同上の果実収穫装置の縦断面図である。
【図３】同上の果実収穫装置の底面図である。
【符号の説明】
【００４６】
１  操作竿部
２  果実収容口
３  果実取込部材
４  回動式刃
５  ブラシ材
６  前面板
７  背面板
８  左側板
９  右側板
１０  天板
１１  スライド孔
１２  スライドピン
１３  花軸挿入部
１４  果実
１４ａ  花軸
１５  刃部
１６  被操作部
１７  バネ材
１８  操作ワイヤ
１９  固定用突起
２０，２１  ガイド滑車
２２  手元操作用ワイヤ
【図１】
0003107813.tif 000003
【図２】
0003107813.tif 000004
【図３】
0003107813.tif 000005